(57)【要約】【課題】ビル管理装置がコンピュータウィルスに感染することを防止するとともに、ビル管理装置が管理対象装置を確実に管理することができるビル管理装置システムを得る。【解決手段】ビルに設置されたローカル装置１を管理するビル管理装置２と、ウィルス対策ソフトウエアをインストールする動作評価装置本体４１およびウィルス対策ソフトウエアをインストールした動作評価装置本体４１の動作に異常が発生するか否かを判定する制御装置４４を有した動作評価装置４とを備え、動作評価装置４は、動作評価装置本体４１の動作に異常が発生しないと制御装置４４が判定した場合に、ビル管理装置２にウィルス対策ソフトウエアをインストールさせる。【選択図】図１
2013020541.tif 000002
【特許請求の範囲】
【請求項１】
ビルに設置された管理対象装置を管理するビル管理装置と、
ウィルス対策ソフトウエアをインストールする動作評価装置本体および前記ウィルス対策ソフトウエアをインストールした前記動作評価装置本体の動作に異常が発生するか否かを判定する制御装置を有した動作評価装置と
を備え、
前記動作評価装置は、前記動作評価装置本体の動作に異常が発生しないと前記制御装置が判定した場合に、前記ビル管理装置に前記ウィルス対策ソフトウエアをインストールさせることを特徴とするビル管理装置システム。
【請求項２】
前記動作評価装置は、前記ウィルス対策ソフトウエアをインストールした前記ビル管理装置が再起動を行う場合に前記ビル管理装置に替わって前記管理対象装置を管理する代替装置をさらに有していることを特徴とする請求項１に記載のビル管理装置システム。
【請求項３】
前記動作評価装置は、前記動作評価装置本体の動作に異常が発生すると前記制御装置が判定した場合に外部に通報する通報装置をさらに有していることを特徴とする請求項１または請求項２に記載のビル管理装置システム。
【請求項４】
ビルに設置された管理対象装置を管理するビル管理装置と、ウィルス対策ソフトウエアをインストールする動作評価装置本体および前記ウィルス対策ソフトウエアをインストールした前記動作評価装置本体の動作に異常が発生するか否かを判定する制御装置を有した動作評価装置とを備えたビル管理装置システムの制御方法であって、
前記動作評価装置本体が前記ウィルス対策ソフトウエアをインストールした後に、前記動作評価装置本体の動作に異常が発生するか否かを前記制御装置が判定する動作異常発生判定工程と、
前記動作異常発生判定工程で、前記動作評価装置本体の動作に異常が発生しないと前記制御装置が判定した後に、前記ビル管理装置が前記ウィルス対策ソフトウエアをインストールするインストール工程と
を備えたことを特徴とするビル管理装置システムの制御方法。
【発明の詳細な説明】
【技術分野】
【０００１】
この発明は、ビルに設置された管理対象装置が管理されるビル管理装置システムおよびその制御方法に関する。
【背景技術】
【０００２】
従来、ビルに設置された照明装置または空調装置等の管理対象装置と、管理対象装置を管理するビル管理装置とを備えたビル管理装置システムが知られている。ビル管理装置には、ＯＳ（Ｏｐｅｒａｔｉｎｇ  Ｓｙｓｔｅｍ）が搭載されている。ビル管理装置は、このＯＳ上で管理対象装置を管理する（例えば、特許文献１参照）。
【先行技術文献】
【特許文献】
【０００３】
【特許文献１】特開２００５−３３８９３１号公報
【発明の概要】
【発明が解決しようとする課題】
【０００４】
ビル管理装置がコンピュータウィルスに感染することを防止するためには、ビル管理装置にウィルス対策ソフトウエアをインストールする必要がある。ウィルス対策ソフトウエアは、随時、更新されるので、ビル管理装置は、ウィルス対策ソフトウエアが更新される度に、更新されたウィルス対策ソフトウエアをインストールしなければならない。しかしながら、ビル管理装置は、インストールしたウィルス対策ソフトウエアの影響によって、例えば、管理対象装置との間の通信が遮断される等、ビル管理装置の動作に異常が発生する場合がある。この場合、ビル管理装置は、管理対象装置を管理することができなくなってしまうという問題点があった。
【０００５】
この発明は、ビル管理装置がコンピュータウィルスに感染することを防止するとともに、ビル管理装置が管理対象装置を確実に管理することができるビル管理装置システムおよびその制御方法を提供するものである。
【課題を解決するための手段】
【０００６】
この発明に係るビル管理装置システムは、ビルに設置された管理対象装置を管理するビル管理装置と、ウィルス対策ソフトウエアをインストールする動作評価装置本体および前記ウィルス対策ソフトウエアをインストールした前記動作評価装置本体の動作に異常が発生するか否かを判定する制御装置を有した動作評価装置とを備え、前記動作評価装置は、前記動作評価装置本体の動作に異常が発生しないと前記制御装置が判定した場合に、前記ビル管理装置に前記ウィルス対策ソフトウエアをインストールさせる。
【０００７】
この発明に係るビル管理装置システムの制御方法は、ビルに設置された管理対象装置を管理するビル管理装置と、ウィルス対策ソフトウエアをインストールする動作評価装置本体および前記ウィルス対策ソフトウエアをインストールした前記動作評価装置本体の動作に異常が発生するか否かを判定する制御装置を有した動作評価装置とを備えたビル管理装置システムの制御方法であって、前記動作評価装置本体が前記ウィルス対策ソフトウエアをインストールした後に、前記動作評価装置本体の動作に異常が発生するか否かを前記制御装置が判定する動作異常発生判定工程と、前記動作異常発生判定工程で、前記動作評価装置本体の動作に異常が発生しないと前記制御装置が判定した後に、前記ビル管理装置が前記ウィルス対策ソフトウエアをインストールするインストール工程とを備えている。
【発明の効果】
【０００８】
この発明に係るビル管理装置システムによれば、ビルに設置された管理対象装置を管理するビル管理装置と、ウィルス対策ソフトウエアをインストールする動作評価装置本体およびウィルス対策ソフトウエアをインストールした動作評価装置本体の動作に異常が発生するか否かを判定する制御装置を有した動作評価装置とを備え、動作評価装置は、動作評価装置本体の動作に異常が発生しないと制御装置が判定した場合に、ビル管理装置にウィルス対策ソフトウエアをインストールさせるので、動作評価装置本体の動作に異常が発生しないと制御装置が判定した場合には、ビル管理装置がウィルス対策ソフトウエアをインストールして、ビル管理装置がコンピュータウィルスに感染することを防止することができる。また、動作評価装置本体の動作に異常が発生すると制御装置が判定した場合には、ビル管理装置がウィルス対策ソフトウエアをインストールしないので、ビル管理装置の動作に異常が発生することが防止される。その結果、ビル管理装置が管理対象装置を確実に管理することができる。
【０００９】
この発明に係るビル管理装置システムの制御方法によれば、動作評価装置本体がウィルス対策ソフトウエアをインストールした後に、動作評価装置本体の動作に異常が発生するか否かを制御装置が判定する動作異常発生判定工程と、動作異常発生判定工程で、動作評価装置本体の動作に異常が発生しないと制御装置が判定した後に、ビル管理装置がウィルス対策ソフトウエアをインストールするインストール工程とを備えているので、動作評価装置本体の動作に異常が発生しないと制御装置が判定した後に、ビル管理装置がウィルス対策ソフトウエアをインストールして、ビル管理装置がコンピュータウィルスに感染することを防止することができる。また、動作評価装置本体の動作に異常が発生すると制御装置が判定した後に、ビル管理装置がウィルス対策ソフトウエアをインストールしないので、ビル管理装置の動作に異常が発生することが防止される。その結果、ビル管理装置が管理対象装置を確実に管理することができる。
【図面の簡単な説明】
【００１０】
【図１】この発明の実施の形態１に係るビル管理装置システムを示す構成図である。
【図２】図１の動作評価装置を示すブロック図である。
【図３】図１のビル管理装置システムの動作を示すフローチャートである。
【発明を実施するための形態】
【００１１】
実施の形態１．
図１はこの発明の実施の形態１に係るビル管理装置システムを示す構成図である。図において、ビル管理装置システムは、ビルに設置されたローカル装置（管理対象装置）１と、ローカル装置１を管理するビル管理装置２と、ウィルス対策ソフトウエア提供装置３からウィルス対策ソフトウエアを取得し、取得したウィルス対策ソフトウエアをビル管理装置２に入力する動作評価装置４とを備えている。
【００１２】
ビル管理装置２は、ローカル装置１と通信を行うＢＡ（Ｂｕｉｌｄｉｎｇ  Ａｕｔｏｍａｔｉｏｎ）サーバ装置２１と、ＢＡサーバ装置２１と通信を行うＢＡ（Ｂｕｉｌｄｉｎｇ  Ａｕｔｏｍａｔｉｏｎ）クライアント装置２２とを有している。ＢＡサーバ装置２１およびＢＡクライアント装置２２は、パソコンから構成されている。ビルの管理を行う管理者は、ＢＡクライアント装置２２にローカル装置１の動作状態情報が表示されることにより、ローカル装置１の動作状態を確認することができる。ローカル装置１としては、例えば、照明装置、空調装置、エレベータ装置、入退室管理装置等が挙げられる。
【００１３】
ＢＡサーバ装置２１およびＢＡクライアント装置２２のそれぞれのＯＳは、互いに異なるＯＳとなっている。なお、ＢＡサーバ装置２１およびＢＡクライアント装置２２のそれぞれのＯＳは、同一のＯＳであってもよい。
【００１４】
図２は図１の動作評価装置４を示すブロック図である。図において、動作評価装置４は、ウィルス対策ソフトウエア提供装置３からウィルス対策ソフトウエアを取得する動作評価装置本体４１と、保守会社（外部）５に通報する通報装置４２と、ＢＡサーバ装置２１およびＢＡクライアント装置２２に替わってローカル装置１（図１）を管理する代替装置４３と、動作評価装置本体４１、通報装置４２および代替装置４３のそれぞれの動作を制御する制御装置４４とを有している。
【００１５】
動作評価装置本体４１は、ＢＡサーバ装置２１およびＢＡクライアント装置２２と同一のハードウエアを有している。また、動作評価装置本体４１には、ＢＡサーバ装置２１およびＢＡクライアント装置２２のそれぞれのＯＳと同一のＯＳが搭載されている。つまり、動作評価装置本体４１は、ＢＡサーバ装置２１およびＢＡクライアント装置２２と同一の構成を有している。したがって、動作評価装置本体４１は、ＢＡサーバ装置２１およびＢＡクライアント装置２２と同一の動作が可能である。
【００１６】
制御装置４４は、動作評価装置本体４１にウィルス対策ソフトウエアをインストールして、動作評価装置本体４１の動作の評価を実施する。具体的には、制御装置４４は、動作評価装置本体４１の動作速度の評価を実施する。また、制御装置４４は、動作評価装置本体４１におけるＢＡサーバ装置２１と同一の構成部分と動作評価装置本体４１におけるＢＡクライアント装置２２と同一の構成部分との間の通信速度およびデータ送受信の可否についての評価を実施する。インストール後の動作速度や通信速度が所定値よりも遅い場合や、インストール後にデータ送受信が不可となる場合には、制御装置４４は、動作評価装置本体４１の動作に異常が発生すると判定する。一方、インストール後の動作速度や通信速度が所定値以上で、かつ、インストール後にデータ送受信が可能である場合には、制御装置４４は、動作評価装置本体４１の動作に異常が発生しないと判定する。
【００１７】
制御装置４４は、動作評価装置本体４１の動作に異常が発生しないと判定した場合に、動作評価装置本体４１にインストールされているウィルス対策ソフトウエアと同一のウィルス対策ソフトウエアを動作評価装置本体４１からＢＡサーバ装置２１およびＢＡクライアント装置２２に入力させる。ＢＡサーバ装置２１およびＢＡクライアント装置２２は、入力されたウィルス対策ソフトウエアをインストールする。なお、ＢＡサーバ装置２１およびＢＡクライアント装置２２へのウィルス対策ソフトウエアの入力は、動作評価装置本体４１に限らず、例えば、ウィルス対策ソフトウエア提供装置３から行ってもよい。
【００１８】
制御装置４４は、更新されたウィルス対策ソフトウエアを定期的に動作評価装置本体４１にインストールさせるようになっている。制御装置４４は、動作評価装置本体４１がウィルス対策ソフトウエアをインストールする度に、動作評価装置本体４１の動作に異常が発生するか否かを判定する。動作評価装置本体４１がウィルス対策ソフトウエアをインストールするタイミングは、任意に設定可能となっている。
【００１９】
通報装置４２は、動作評価装置本体４１の動作の異常の発生の有無についての制御装置４４の判定結果に基づいて、保守会社５へ通報する。具体的には、通報装置４２は、動作評価装置本体４１の動作に異常が発生すると制御装置４４が判定した場合に、制御装置４４の判定結果と、ウィルス対策ソフトウエアをＢＡサーバ装置２１およびＢＡクライアント装置２２にインストールしない旨とを保守会社５に通報する。一方、通報装置４２は、動作評価装置本体４１の動作に異常が発生しないと制御装置４４が判定した場合に、保守会社５に対する通報を行わない。なお、この場合に、通報装置４２は、ウィルス対策ソフトウエアをＢＡサーバ装置２１およびＢＡクライアント装置２２がインストールすること旨を保守会社５に通報するようにしてもよい。
【００２０】
代替装置４３は、ＢＡサーバ装置２１およびＢＡクライアント装置２２と同様の機能を有している。代替装置４３は、ＢＡサーバ装置２１およびＢＡクライアント装置２２に替わって、ローカル装置１を管理することができる。具体的には、ウィルス対策ソフトウエアをＢＡサーバ装置２１およびＢＡクライアント装置２２がインストールすることによりＢＡサーバ装置２１およびＢＡクライアント装置２２が再起動を行う場合に、その再起動が行われる間、ＢＡサーバ装置２１およびＢＡクライアント装置２２に替わって、代替装置４３がローカル装置１を管理する。ＢＡサーバ装置２１およびＢＡクライアント装置２２の再起動が終了した場合には、代替装置４３によるローカル装置１の管理が終了し、ＢＡサーバ装置２１およびＢＡクライアント装置２２によるローカル装置１の管理が再開される。
【００２１】
次に、ビル管理装置システムにおけるウィルス対策ソフトウエアのインストールの動作について説明する。図３は図１のビル管理装置システムの動作を示すフローチャートである。まず、制御装置４４は、ウィルス対策ソフトウエア提供装置３から、更新されたウィルス対策ソフトウエアを動作評価装置本体４１が取得したか否かを判定する（ステップＳ１０１）。ステップＳ１０１で、更新されたウィルス対策ソフトウエアを動作評価装置本体４１が取得していないと制御装置４４が判定した場合には、ステップＳ１０１が繰り返される。
【００２２】
一方、ステップＳ１０１で、更新されたウィルス対策ソフトウエアを動作評価装置本体４１が取得したと制御装置４４が判定した場合には、動作評価装置本体４１はウィルス対策ソフトウエアをインストールし、その後、制御装置４４は、動作評価装置本体４１の動作の評価を実施する（動作評価工程）（ステップＳ１０２）。その後、制御装置４４は、動作評価装置本体４１の動作に基づいて、動作評価装置本体４１の動作に異常が発生するか否かを判定する（動作異常発生判定工程）（ステップＳ１０３）。
【００２３】
ステップＳ１０３で、動作評価装置本体４１の動作に異常が発生しないと制御装置４４が判定した場合には、制御装置４４は、ウィルス対策ソフトウエアをＢＡサーバ装置２１およびＢＡクライアント装置２２に入力し、ＢＡサーバ装置２１およびＢＡクライアント装置２２は入力されたウィルス対策ソフトウエアをインストールする（インストール工程）（ステップＳ１０４）。一方、ステップＳ１０３で、動作評価装置本体４１の動作に異常が発生すると制御装置４４が判定した場合には、通報装置４２は、保守会社５に対して、制御装置４４の判定結果およびインストールしない旨を通報し（通報工程）（ステップＳ１０５）、ウィルス対策ソフトウエアをＢＡサーバ装置２１およびＢＡクライアント装置２２にインストールせずに、ウィルス対策ソフトウエアのインストールの動作を終了する。
【００２４】
ステップＳ１０４で、ウィルス対策ソフトウエアをＢＡサーバ装置２１およびＢＡクライアント装置２２がインストールした後、制御装置４４は、ウィルス対策ソフトウエアをＢＡサーバ装置２１およびＢＡクライアント装置２２がインストールすることによりＢＡサーバ装置２１およびＢＡクライアント装置２２が再起動を行うか否かを判定する（再起動判定工程）（ステップＳ１０６）。
【００２５】
ステップＳ１０６で、ＢＡサーバ装置２１およびＢＡクライアント装置２２が再起動を行うと制御装置４４が判定すると、代替装置４３は、ＢＡサーバ装置２１およびＢＡクライアント装置２２に替わってローカル装置１を管理する（代替工程）（ステップＳ１０７）。一方、ステップＳ１０６で、ＢＡサーバ装置２１およびＢＡクライアント装置２２が再起動を行わないと制御装置４４が判定すると、そのまま、ウィルス対策ソフトウエアのインストールの動作を終了する。
【００２６】
ステップＳ１０７で、代替装置４３によるローカル装置１の管理が開始された後、制御装置４４は、ＢＡサーバ装置２１およびＢＡクライアント装置２２の再起動が終了したか否かを判定する（再起動終了判定工程）（ステップＳ１０８）。ステップＳ１０８で、ＢＡサーバ装置２１およびＢＡクライアント装置２２の再起動が終了していないと制御装置４４が判定した場合には、ステップＳ１０８が繰り返される。一方、ステップＳ１０８で、ＢＡサーバ装置２１およびＢＡクライアント装置２２の再起動が終了したと制御装置４４が判定した場合には、代替装置４３によるローカル装置１の管理を終了し、ＢＡサーバ装置２１およびＢＡクライアント装置２２によるローカル装置１の管理が回復する（ステップＳ１０９）。以上により、ウィルス対策ソフトウエアのインストールの動作を終了する。
【００２７】
以上説明したように、この発明の実施の形態１に係るビル管理装置システムによれば、ビルに設置されたローカル装置１を管理するビル管理装置２と、ウィルス対策ソフトウエアをインストールする動作評価装置本体４１およびウィルス対策ソフトウエアをインストールした動作評価装置本体４１の動作に異常が発生するか否かを判定する制御装置４４を有した動作評価装置４とを備え、動作評価装置４は、動作評価装置本体４１の動作に異常が発生しないと制御装置４４が判定した場合に、ビル管理装置２にウィルス対策ソフトウエアをインストールさせるので、動作評価装置本体４１の動作に異常が発生しないと制御装置４４が判定した場合には、ビル管理装置２がウィルス対策ソフトウエアをインストールして、ビル管理装置２がコンピュータウィルスに感染することを防止することができる。また、動作評価装置本体４１の動作に異常が発生すると制御装置４４が判定した場合には、ビル管理装置２がウィルス対策ソフトウエアをインストールしないので、ビル管理装置２の動作に異常が発生することが防止される。その結果、ビル管理装置２がローカル装置１を確実に管理することができる。
【００２８】
また、動作評価装置４は、ウィルス対策ソフトウエアをインストールしたビル管理装置２が再起動を行う場合にビル管理装置２に替わってローカル装置１を管理する代替装置４３をさらに有しているので、ビル管理装置２が再起動を行う間であっても、ローカル装置１を管理することができる。
【００２９】
また、動作評価装置４は、動作評価装置本体４１の動作に異常が発生すると制御装置４４が判定した場合に保守会社５に通報する通報装置４２をさらに有しているので、保守会社５に対して、動作評価装置本体４１の動作の異常の発生の有無についての制御装置４４の判定結果やウィルス対策ソフトウエアをビル管理装置２がインストールしない旨を保守会社５に通報することができる。
【００３０】
また、この発明の実施の形態１に係るビル管理装置システムの制御方法によれば、動作評価装置本体４１がウィルス対策ソフトウエアをインストールした後に、動作評価装置本体４１の動作に異常が発生するか否かを制御装置４４が判定する動作異常発生判定工程と、動作異常発生判定工程で、動作評価装置本体４１の動作に異常が発生しないと制御装置４４が判定した後に、ビル管理装置２がウィルス対策ソフトウエアをインストールするインストール工程とを備えているので、動作評価装置本体４１の動作に異常が発生しないと制御装置４４が判定した後に、ビル管理装置２がウィルス対策ソフトウエアをインストールして、ビル管理装置２がコンピュータウィルスに感染することを防止することができる。また、動作評価装置本体４１の動作に異常が発生すると制御装置４４が判定した後に、ビル管理装置２がウィルス対策ソフトウエアをインストールしないので、ビル管理装置２の動作に異常が発生することが防止される。その結果、ビル管理装置２がローカル装置１を確実に管理することができる。
【００３１】
なお、上記実施の形態１では、動作評価装置本体４１の構成が、ＢＡサーバ装置２１およびＢＡクライアント装置２２と同一の構成である例について説明したが、動作評価装置本体４１の構成は、動作速度、通信速度およびデータ送受信の可否についてＢＡサーバ装置２１およびＢＡクライアント装置２２と同一の動作をする構成であれば、ＢＡサーバ装置２１およびＢＡクライアント装置２２と異なる構成であってもよい。
【符号の説明】
【００３２】
１  ローカル装置（管理対象装置）、２  ビル管理装置、３  ウィルス対策ソフトウエア提供装置、４  動作評価装置、５  保守会社（外部）、２１  ＢＡサーバ装置、２２  ＢＡクライアント装置、４１  動作評価装置本体、４２  通報装置、４３  代替装置、４４  制御装置。
【図１】
2013020541.tif 000003
【図２】
2013020541.tif 000004
【図３】
2013020541.tif 000005